(57)【要約】      （修正有）【課題】ビス穴からの雨水の浸入や毛細管現象による雨水の浸入を生ずることのない外装構造を提供する。【解決手段】下地４上に、平板部１１，２１の左右側縁を同方向へ折り曲げ、更にその先端を内側に折り返して側縁成形部１２，１２、２２，２２を設けて山側外装板１、谷側外装板２とし、これらを交互に配置させることにより山部と谷部とが連続して形成される外装構造であって、山側外装板１の裏面側に、その下端に下地４への固定部３１を有する起立部３２と、該起立部３２の上端を外側へ折返した折返し部３３と、その先端に傾斜面３４１を備える楔部３４とを有する保持部材３を固定し、谷側外装板２の上向き側縁成形部２２の先端２２２が、前記保持部材３の折返し部３３及び楔部３４の内側へ収容されるように配設すると共に、山側外装板１の下向き側縁成形部１２の先端１２３が、前記保持部材３の楔部３４の傾斜面３４１に当接するように配設する。【選択図】図１
2014181485.tif 000002
【特許請求の範囲】
【請求項１】
下地上に、平板部の左右側縁を同方向へ折り曲げ、更にその先端を内側に折り返して側縁成形部を設けて山側外装板、谷側外装板とし、交互に配置させることにより山部と谷部とが連続して形成される外装構造であって、
山側外装板の裏面側に、その下端に下地への固定部を有する起立部と、該起立部の上端を外側へ折返した折返し部と、その下端に傾斜面を備える楔部とを有する保持部材を固定し、
谷側外装板の上向き側縁成形部の下向き折返し部分を、前記保持部材の折返し部の内側へ収容されるように係合すると共に、山側外装板の下向き側縁成形部の上向き折返し部分の上端が、前記保持部材の楔部の傾斜面に当接するように係合することを特徴とする外装構造。
【請求項２】
谷側外装板の上向き側縁成形部の下向き折返し部分が保持部材の楔部の内側に係合し、山側外装板の下向き側縁成形部の上向き折返し部分の上端が内側へ折り返されていることを特徴とする請求項１に記載の外装構造。
【請求項３】
山側外装板の裏面に断熱材を配設していることを特徴とする請求項１又は２に記載の外装構造。
【発明の詳細な説明】
【技術分野】
【０００１】
本発明は、ビス穴からの雨水の浸入や毛細管現象による雨水の浸入を生ずることなく、施工性にも優れていることは勿論、負圧作用時の強度や水密性にも十分に配慮した外装構造に関する。
【背景技術】
【０００２】
従来の「大和葺き」と称される屋根は、山と谷が交互に連続する葺き方であり、その固定方法としては、第１の方法として、図４（ａ）及び図５（ａ）に示す側方から固定ビスを打ち込む方法と、第２の方法として、図４（ｂ）及び図５（ｂ）に示すハゼ締めにて固定する方法の２種類が一般的に採用されている。
【０００３】
前記第１の方法の問題点としては、ビス穴からの雨水の浸入の問題や、強風及び経年劣化によるビスの抜けがある。
また、前記第２の方法の問題点としては、ハゼ締めによる毛細管現象による雨水の浸入の問題や、ハゼ締めすることにより施工に手間がかかる等が挙げられる。
【０００４】
また、特許文献１には、主板１の幅方向両側に形成した垂直状側部２上端より内方下向きの傾斜状片３を形成し、該傾斜状片下端より垂直状側部側に端部谷形片を形成した構成が記載されている。
【発明の概要】
【発明が解決しようとする課題】
【０００５】
しかしながら、前記第１の方法や前記第２の方法については、後述する図４及び図５の説明において詳述するが、やはり負圧作用時の強度や水密性については、全く配慮されていないものであった。
【０００６】
そこで、本発明は、「大和葺き」の屋根構造において、ビス穴からの雨水の浸入や毛細管現象による雨水の浸入を生ずることなく、施工性にも優れていることは勿論、負圧作用時の強度や水密性にも十分に配慮した外装構造を提供することを目的とする。
【課題を解決するための手段】
【０００７】
本発明は、上記に鑑み提案されたものであって、下地上に、平板部の左右側縁を同方向へ折り曲げ、更にその先端を内側に折り返して側縁成形部を設けて山側外装板、谷側外装板とし、交互に配置させることにより山部と谷部とが連続して形成される外装構造であって、山側外装板の裏面側に、その下端に下地への固定部を有する起立部と、該起立部の上端を外側へ折返した折返し部と、その下端に傾斜面を備える楔部とを有する保持部材を固定し、谷側外装板の上向き側縁成形部の下向き折返し部分が、前記保持部材の折返し部の内側へ収容されるように係合すると共に、山側外装板の下向き側縁成形部の上向き折返し部分が、前記保持部材の楔部の傾斜面に当接するように係合することを特徴とする外装構造に関するものである。
なお、以下の説明において、山側外装板の下向き側縁成形部の上向き折返し部分を「上ハゼ」、谷側外装板の上向き側縁成形部の下向き折返し部分を「下ハゼ」という。なお、後述する図示実施例では、下向き側縁成形部自体を「上ハゼ」、上向き成形部自体を「下ハゼ」と説明している。
【０００８】
また、本発明は、前記外装構造において、谷側外装板の下ハゼが保持部材の楔部の内側に係合し、山側外装板の上ハゼの上端が内側へ折り返されていることを特徴とする外装構造をも提案するものである。
【０００９】
さらに、本発明は、前記外装構造において、山側の外装板の裏面に断熱材を配設していることを特徴とする外装構造をも提案するものである。
【発明の効果】
【００１０】
本発明の外装構造は、保持部材に対する上ハゼ、下ハゼの係合を採用しているため、ビス穴からの雨水の浸入や毛細管現象による雨水の浸入を生ずることなく、施工性にも優れており、さらに負圧作用時の強度や水密性にも十分に配慮したものである。
詳しくは、本発明では、従来のビス止め方式のようにビス自体を用いていないので、ビス穴からの雨水の浸入が生ずる筈がない。
また、保持部材を山側外装板と谷側外装板との間に固定しているため、従来のハゼ締め方式による毛細管現象による雨水の浸入を抑制でき、ハゼ締め等による手間も生じない。
さらに、保持部材の楔部に傾斜面を有するため、負圧がかかった際に山側外装板の上ハゼの先端が傾斜面から深く上方へ移動して谷側外装板の下ハゼと接近して接触するため、毛細管現象を抑制するための空間を多く設けることができ、高い水密性を確保出来る。
また、保持部材に楔部を設けたので、負圧がかかった際に山側外装板の上ハゼが保持部材により深く係合すると共に谷側外装板の下ハゼにも引っ掛かるので外れにくい。
【００１１】
また、谷側外装板の下ハゼが保持部材の楔部の内側に係合し、山側外装板の上ハゼの上端が内側へ折り返されている場合には、下ハゼは保持部材に収容されるように配設し易く、上ハゼは保持部材の傾斜面への当接が滑らかになり、負圧作用時の滑り（移動）も良いものとなる。
【００１２】
また、山側外装板の裏面に断熱材を配設している場合には、断熱機能が付与されることは説明するまでもないが、特に山側外装板を断熱材の表面上に載置した状態で安定に保持部材への配設を行うことができる。
【図面の簡単な説明】
【００１３】
【図１】（ａ）本発明の外装構造の一実施例（第１実施例）を示す断面図、（ｂ）それに用いた外装板の側縁成形部の拡大断面図、（ｃ）それに用いた保持部材の拡大断面図、（ｄ）外装板の側縁成形部を保持部材に取り付けた状態を示す拡大断面図である。
【図２】（ａ）第１実施例の外装構造の水密性を示す断面図、（ｂ）負圧作用時の水密性を示す断面図である。
【図３】（ａ）第１実施例の外装構造の取付強度を示す断面図、（ｂ）負圧作用時の取付強度を示す断面図である。
【図４】（ａ）従来のビス止め仕様の外装構造の水密性を示す断面図、（ｂ）従来のハゼ締め仕様の外装構造の水密性を示す断面図である。
【図５】（ａ）従来のビス止め仕様の外装構造の負圧作用時の取付強度を示す断面図、（ｂ）従来のビス止め仕様の外装構造の負圧作用時の取付強度を示す断面図である。
【発明を実施するための形態】
【００１４】
本発明の外装構造は、下地上に、平板部の左右側縁を同方向へ折り曲げ、更にその先端を内側に折り返して側縁成形部を設けて山側外装板、谷側外装板とし、交互に配置させることにより山部と谷部とが連続して形成される外装構造において、山側外装板の裏面側に固定した保持部材に、山側外装板の上ハゼ部と谷側外装板の下ハゼ部と係合させて取り付けた構成である。
【００１５】
本発明に使用する保持部材については、山側外装板の裏面側に配設されるものであって、その下端に下地への固定部を有する起立部と、該起立部の上端を外側へ折返した折返し部と、その下端に傾斜面を備える楔部とを有する構成である。
また、この保持部材への外装板の取付については、谷側外装板の下ハゼを、保持部材の折返し部の内側へ収容されるように係合すると共に、山側外装板の上ハゼの上端が、保持部材の楔部の傾斜面に当接するように係合する。
【００１６】
本発明に用いる外装板は、従来の「大和葺き」と称される屋根葺きに用いられるものであって、前述のように平板部の左右側縁を同方向へ折り曲げ、更にその先端を内側に折り返して側縁成形部を設けた構成であって、原則的には表裏逆に且つ交互に配置することにより山側と谷側とを連続して形成するが、必ずしも完全に一致させる必要はない。即ち山側外装板と谷側外装板とは、細部の構成まで同一のものを用いても、細部の構成が相違する構成のものを用いてもよい。
【００１７】
この外装板は、平板部の左右に側縁成形部を設けた構成であり、側縁成形部は、平板部の左右側縁を折り上げるか、折り下げ、更にその先端を内側に折り返した構成である。
山側外装板では、左右側縁を折り下げ、更にその下端を内側に折り返して上ハゼとした構成となる。
谷側外装板では、左右側縁を折り上げ、更にその上端を内側に折り返して下ハゼとした構成となる。
【００１８】
また、谷側外装板の下ハゼが保持部材の楔部の内側に係合するようにした場合には、下ハゼは保持部材に収容されるように安定に配設される。
また、山側外装板の上ハゼの上端が内側へ折り返されている場合には、上ハゼは保持部材（楔部）の傾斜面への当接が滑らかになり、負圧作用時の滑り（移動）も良いものとなる。
【００１９】
本発明に用いる保持部材は、前述のように山側外装板の裏面側に配設され、下地への固定部を有する起立部と、該起立部の上端を外側へ折返した折返し部と、その下端の内面側に傾斜面を備える楔部とを有する構成である。この保持部材は、通し吊子と称される長尺材である。
【００２０】
また、前記山側外装板の裏面には、断熱材が配設されていることが望ましい。この場合、断熱機能が付与されることは説明するまでもないが、特に山側外装板を断熱材の表面上に載置した状態で安定に保持部材への配設を行うことができる。
【００２１】
前述のように本発明は、保持部材に対する上ハゼ、下ハゼの係合を採用して取り付けているため、ビス穴からの雨水の浸入や毛細管現象による雨水の浸入を生ずることなく、施工性にも優れており、さらに負圧作用時の強度や水密性にも十分に配慮した外装構造である。
【００２２】
本発明の水密性について詳しく説明すると、従来のビス止め方式のようにビス自体を用いておらず、ビス穴自体が存在しないため、このビス穴からの雨水の浸入が生ずる筈がない。また、保持部材の楔部に傾斜面を有するため、負圧がかかった際に山側外装板の上ハゼの先端が傾斜面から深く上方へ移動して谷側外装板の下ハゼと接近して接触するため、毛細管現象を抑制するための空間を多く設けることができ、高い水密性を確保することができる。
【００２３】
また、本発明の強度について詳しく説明すると、保持部材を山側の外装板と谷側の外装板との間に固定しているため、従来のハゼ締め方式による毛細管現象による雨水の浸入を抑制でき、ハゼ締め等による手間も生じない。さらに、保持部材に楔部を設けたので、負圧がかかった際に山側外装板の上ハゼが保持部材により深く係合すると共に谷側外装板の下ハゼにも引っ掛かるので外れにくい。
【実施例】
【００２４】
図１に示す第１実施例の外装構造は、下地４上に、平板部１１，２１の左右側縁を同方向へ折り曲げ、更にその先端を内側に折り返して側縁成形部１２，１２、２２，２２を設けて山側外装板１、谷側外装板２とし、これらを交互に配置させることにより山部と谷部とが連続して形成される外装構造であり、山側外装板１の裏面側に固定した保持部材３に、山側外装板１の上ハゼ部（下向き側縁成形部）１２と谷側外装板２の下ハゼ部（上向き側縁成形部）２２と係合させて取り付けた構成である。
【００２５】
この第１実施例における山側外装板１は、略平坦状の平板部１１の左右側縁を折り下げ、更にその下端を内側に折り返して上ハゼ１２とした構成である。より詳しくは、図１（ｂ）に示すように上ハゼ１２は、下向きの折り下げ片１２１と上向きの折返し部分１２２とその先端の折り曲げ部１２３とからなる。前記平板部１１の裏面側には、略同一厚みの裏打ち材１ｂが添設されている。
また、この第１実施例における谷側外装板２は、略平坦状の平板部２１の左右側縁を折り上げ、更にその上端を内側に折り返して下ハゼ２２とした構成である。より詳しくは、図１（ｂ）に示すように下ハゼ２２は、上向きの折り上げ片２２１と下向きの折返し部分２２２とからなる。前記平板部２１の裏面側には、略同一厚みの裏打ち材２ｂが添設されている。
【００２６】
この第１実施例における保持部材３は、通し吊子と称される長尺材であって、前述のように前記山側外装板１の裏面側に配設され、図１（ｃ）に示すように下端に下地４への固定部３１を有する起立部３２と、該起立部３２の上端を外側へ折返した折返し部３３と、その下端の内面側に傾斜面３４１を備える楔部３４とを有する構成である。前記固定部３１は、略水平状に延在し、前記起立部３２は、略垂直状に立ち上がっている。また、前記折返し部３３が外側を向くように配設され、図１（ａ）の左側の取付部分では折返し部３３は右方へ向くように、右側の取付部分では折返し部分３３は左方を向くように配設されている。
【００２７】
そして、これらの部材から構成される本発明の外装構造では、前記保持部材３への前記外装板１，２の取付については、図１（ｄ）に示すように谷側外装板２の下ハゼ２２（折返し部分２２２）を、保持部材３の折返し部３３の内側へ収容されるように係合すると共に、山側外装板１の上ハゼ１２の上端（折り曲げ部１２３）が、保持部材３の楔部３４の傾斜面３４１に当接するように係合する。
なお、下地４は、略一定厚みの野地材の表面に防水シート材を敷設した構成であり、前記山側外装板１の裏面には、断熱材５を配した構成とした。
【００２８】
このように本発明では、保持部材３に対する上ハゼ１２、下ハゼ２２の係合を採用しているため、ビス穴からの雨水の浸入や毛細管現象による雨水の浸入を生ずることなく、施工性にも優れている。
しかも、この第１実施例では、図１（ｂ）に示すように敷設した状態の山側外装板１の上ハゼ１２の先端（下端）と谷側外装板２の下ハゼ２２の先端（上端）とは、僅かながら上下に離反しているため、後述する従来のビス止め仕様やハゼ締め仕様に比較して明らかに水密性に優れている外装構造ということができる。
なお、図示実施例では、谷側外装板２の下ハゼ２２（折返し部分２２２）の下端が保持部材３の楔部３４の内側に係合するようにしたため、下ハゼ２２は安定に配設される。また、山側外装板１の上ハゼ１２の上端（折り曲げ部１２３）が内側へ折り返されているため、楔部３４の傾斜面３４１への当接が滑らかになる。
【００２９】
次に、本発明の外装構造の水密性、負圧作用時の水密性について、図２に基づいて説明する。
図２（ａ）には負圧が作用していない状態を示しているが、ハッチングにて示すように上ハゼ１２の内部に空間Ａが形成されている。そのため、仮に雨水の浸入があっても、それ以上の毛細管現象による雨水の浸入が生ずることがない。また、前述のように上ハゼ１２の下端と下ハゼ２２の上端とが、僅かながら上下に離反していることも重要であり、雨水の浸入は、極めて困難な構造である。
図２（ｂ）には負圧が作用し、太矢印にて示すように通常は水平状の平板部１１，２１を上方へ引っ張り上げるような力（負圧）が作用して上方に凸状に変形させる現象が生じる。その際、山側外装板１の上ハゼ１２にも谷側外装板２の下ハゼ２２にも上方へ引っ張られる力が作用するが、下ハゼ２２は負圧作用以前から保持部材３に当接しているため、上ハゼ１２に上方へ引っ張られる作用が果たされ、その折り曲げ部１２３の先端が楔部３４の傾斜面３４１に当接しつつ上方へ突き上げられ、下ハゼ部２２の折返し部分２２２を拡開するように当接する。折り曲げ部１２３と折返し部分２２２との間には、図示するように新たな空間Ａが形成される。なお、図中、ハッチング矢印は、負圧が作用する原因となる吹き上げ風を模式的に示すものである。
【００３０】
これに対し、図４（ａ）には、従来のビス止め仕様における水密性を示しているが、太線にて示すように山側外装板６の表面を伝う雨水Ｗが、この山側外装板６の側縁成形部６２と谷側外装板６'の側縁成形部６２'との重合部分に側方から打ち込んだ固定ビス７のビス穴から浸入してしまうことは既に説明したとおりである。
また、同図（ｂ）には、従来のハゼ締め仕様における水密性を示しているが、やはり太線にて示すように山側外装板８の表面を伝う雨水Ｗが、谷側外装板８'と吊子９とのハゼ締め部分から毛細管現象により内部に浸入してしまうことは既に説明したとおりである。
なお、これらの従来の仕様において、仮に止水性に優れたシール材を使用してビス穴やハゼ締め部の水密性を向上したとしても、シール材の経年劣化にて雨水の浸入が生じてしまう。
【００３１】
続いて、本発明の外装構造の強度、負圧作用時の取付強度について、図３に基づいて説明する。
図３（ａ）には負圧が作用していない状態を示しているが、前述のように谷側外装板２の下ハゼ２２（折返し部分２２２）を、保持部材３の折返し部３３の内側へ収容されるように係合させている。また、山側外装板１の上ハゼ１２の上端（折り曲げ部１２３）を、保持部材３の楔部３４の傾斜面３４１に当接するように係合させている。このように本発明では、保持部材３に対する上ハゼ１２、下ハゼ２２の係合を採用している。
図３（ｂ）には負圧が作用し、太矢印にて示すように通常は水平状の平板部１１，２１を上方へ引っ張り上げるような力（負圧）が作用して上方に凸状に変形させる現象が生じる。その際、山側外装板１の上ハゼ１２に上方へ引っ張られる作用が果たされ、その折り曲げ部１２３の先端が楔部３４の傾斜面３４１に当接しつつ上方へ突き上げられ、下ハゼ部２２の折返し部分２２２にも係合する。このように負圧作用時には、負圧が作用していない状態よりもむしろ深く係合してより安定に強固に取り付けられるものとなる。
【００３２】
これに対し、図５（ａ）には、従来のビス止め仕様における負圧作用時の取付強度を示しているが、ビス７自体の抜けは生じなくても、ビス７の直近の側縁成形部６２，６２'に変形が生じており、この状態では、所定の特性は得られない。
また、同図（ｂ）には、従来のハゼ締め仕様における負圧作用時の取付強度を示しているが、ハゼ締めの一部が負圧による引っ張り作用で解除されており、この状態では、やはり所定の特性は得られない。
【符号の説明】
【００３３】
１  山側外装板
１１  平板部
１２  側縁成形部（上ハゼ）
１２１  折り下げ片
１２２  折返し部分
１２３  折り曲げ部
２  谷側外装板
２１  平板部
２２  側縁成形部（下ハゼ）
２２１  折り上げ片
２２２  折返し部分
３  保持部材
３１  固定部
３２  起立部
３３  折返し部
３４  楔部
３４１  傾斜面
４  下地
５  断熱材
６  （ビス止め仕様の）外装板
７  固定ビス
８  （ハゼ締め仕様の）外装板
９  吊子
【図１】
2014181485.tif 000003
【図２】
2014181485.tif 000004
【図３】
2014181485.tif 000005
【図４】
2014181485.tif 000006
【図５】
2014181485.tif 000007